(57)【特許請求の範囲】
【請求項１】
物品を多列で搬送する幅広の第１コンベヤと該第１コンベヤの前方に設置され前記物品を横方向に搬送する第２コンベヤとの間に渡りプレートを配設する物品の渡り装置において、前記渡りプレートの出口側端部を第２コンベヤの搬送方向後方側がより長く延伸されるように斜めに形成したことを特徴とするコンベヤ間における物品の渡り装置。
【請求項２】
前記渡りプレートの出口側端部を前記第２コンベヤ上まで延伸させた請求項１に記載のコンベヤ間における物品の渡り装置。
【発明の詳細な説明】
【０００１】
【発明の属する技術分野】
本発明は、物品を多列で搬送する幅広の第１コンベヤの前方に第２コンベヤを設置し、物品の搬送方向を横方向に変更しながら列数を減らして排出する場合などに好適な、コンベヤ間における物品の渡り装置に関する。
【０００２】
【従来の技術】
従来から、バルクデパレタイザなどにおいて、多列で搬送される集団化された容器群を例えば一列に整列して排出するための手段として、幅広のコンベヤの前方に幅の狭いコンベヤを直交するように配設して物品の列数を一列に変換して横方向に搬出するという手法が広く知られている。図５及び図６は従来技術の要部を例示したもので、図５は概略平面図、図６はそのＡ−Ａ矢視図である。図中、１はネットコンベヤ等からなる幅広の第１コンベヤで、この第１コンベヤ１の前方にはトップチェーン等からなる搬送列数の少ない第２コンベヤ２が直交するように設置され、それらの第１コンベヤ１と第２コンベヤ２との間には、図示のように渡りプレート３が配設されている。容器等の物品４は、幅広の第１コンベヤ１上を集団化された多列の物品群として搬送され、前記渡りプレート３を介して第２コンベヤ上に移載して列数を変換し得るように構成されている。
【０００３】
【発明が解決しようとする課題】
ところで、前記従来技術における渡りプレート３は、コンベヤ間の間隙を単につなぐためにそれらのコンベヤ間に配設されたもので、幅広の第１コンベヤ１上を搬送される多列の物品群の最前列の物品４は、第２コンベヤ２上に移載されると一斉に搬送方向を横方向に変更することになる。そして、搬送対象である物品４が円筒状の容器などの場合には、図５に示したように、第１コンベヤ１上の多列の物品群は、千鳥状に詰った状態で搬送され、最前列の物品４とその次列の物品４とが横方向に一部重なり合った状態で前方に搬送されることになる。このため、最前列の物品４が第２コンベヤ側に乗移って搬送方向が横方向に変更される際には、その次列の物品４と横方向の重なり部分がスムーズな切離し動作を妨げ、物品４の移載タイミングにも微妙なバラツキが生じるなどして、物品相互間で衝撃や押圧力を作用し合う原因にもなっていた。さらに、第２コンベヤに移載後の物品４は互いに密着ないし近接した状態で排出されるため、下流側で搬送幅を絞る場合などにはジャミングを起して止ってしまうこともあった。
【０００４】
本発明は、以上のような従来技術の問題点を解決するために開発したもので、幅広の第１コンベヤから横方向に搬送する第２コンベヤに物品が乗移る際に、第１コンベヤ上の次列の物品や隣接する物品などの物品群に対する切離し動作が良好であり、また第２コンベヤに移載した後の物品相互間に間隔を形成して、下流側で搬送幅を絞る場合に従来支障のあったジャミングの問題も解消し得るコンベヤ間の渡り装置を提供することを目的とするものである。
【０００５】
【課題を解決するための手段】
本発明は、前記課題を解決するため、前記第１コンベヤと第２コンベヤとの間に配設される前記渡りプレートの出口側の端部を第２コンベヤの搬送方向後方側がより長く延伸されるように斜めに形成するという技術手段を採用した。なお、前記渡りプレートの出口側端部は第２コンベヤ上まで延伸させるようにしてもよい。以上のように、本発明によれば、前記渡りプレートの出口側端部が斜めに形成されているので、物品の第２コンベヤ側への乗移りは、従来のように一斉には行われず、第２コンベヤの下流側から順次、タイミングをずらしながら行われることになる。したがって、一個一個の物品が個別的に独立した状態で的確かつスムーズに物品群から切離されて第２コンベヤ側に移載されるとともに、それらの移載後の物品相互間には間隔が形成されるので、下流側で搬送幅を絞る場合にも従来のようにジャミングを起すことは解消される。
【０００６】
【発明の実施の形態】
本発明は、バルクデパレタイザなどにおいて幅広のネットコンベヤ上を搬送される多列からなる集団化された容器等からなる物品群を例えば一列状態に整列して下流側の装置に向けて排出する場合などに好適であるが、幅広の多列の第１コンベヤの前方に物品を横方向に搬送する第２コンベヤを設置する場合であれば、他の洗びん機やパストライザなどの適宜の機器に適用が可能であり、また第２コンベヤ側の列数にも限定されることなく広く適用することができる。また、第１ないし第２コンベヤ自体の具体的な形態に関しても特に限定されることなく、場合に応じた適宜の搬送方式が採用可能である。さらに、第１コンベヤと第２コンベヤとの間の設置角度に関しても必ずしも直交する場合に限らず、傾斜した状態に設置される場合にも適用できる。また、前記渡りプレートの出口側端部の具体的な傾斜角に関しては、場合に応じて選定が可能であるとともに、その端部の形状も必ずしも厳密な直線である必要はなく多少の変形は可能である。
【０００７】
【実施例】
以下、図面を用いて本発明の実施例に関して説明する。図１は本発明の一実施例を示した概略平面図であり、図２はその要部を示した概略構成図、図３はＢ−Ｂ矢視図である。図示のように、本実施例においては、ネットコンベヤ等の多列からなる幅広の第１コンベヤ１の前方に第２コンベヤ２を直交するように配置した上、それらの第１コンベヤ１と第２コンベヤ２との間に渡りプレート５を配設することにより、容器等の物品４を第２コンベヤ２側へ移載し得るように構成しており、その基本構成において前述の従来技術と異なるところはない。図中、６〜９は第１コンベヤ１及び第２コンベヤ２の両側部に設けられた物品４を案内するためのガイド部材である。なお、本実施例においては、前記第２コンベヤ２をトップチェーン等からなる２列のコンベヤ２ａ，２ｂにより構成し、そのうちのコンベヤ２ａの下流側にガイド部材８を斜めに形成した絞り部１０を配設して、最終的には、物品４の流れをコンベヤ２ｂ側の一列に絞って排出するように構成している。また、第１コンベヤ１に物品群の最後尾を前方に押圧する図示しない払出し機構を設けて、渡りプレート５上に物品４が残留しないように構成することができる。
【０００８】
次に、本発明の特徴部分に関して詳細に説明する。図２及び図３に示したように、本実施例における渡りプレート５は、その第２コンベヤ側の端部、すなわち出口側端部５ａを前記第２コンベヤ２を構成するコンベヤ２ａ上まで延伸するとともに、その出口側端部５ａをコンベヤ２ａの搬送方向後方側がより長く延伸されるように斜めに形成しており、この点に特徴を有するものである。そして、渡りプレート５としては、出口側端部５ａが第２コンベヤ２上まで延伸される関係から薄板が好適で、例えば０．２ｍｍ程度の板厚のステンレス板などが使用される。しかして、図１に示したように、第１コンベヤ１上を搬送される多列の容器等からなる物品群の最前列の物品４が渡りプレート５上を進み、斜めに形成された前記出口側端部５ａに差掛かると、第２コンベヤの搬送方向の下流側の物品４から順次、その出口側端部５ａを越えてコンベヤ２ａ側へ乗移りながら搬送方向を横方向に変換して排出されることになる。
【０００９】
以上のように、本発明に係る装置おいては、物品４がそれまでの第１コンベヤ１上の物品群から離脱してコンベヤ２ａに乗移る移載動作は、前記渡りプレート５の出口側端部５ａの傾斜状態に応じて、同コンベヤ２ａの搬送方向の下流側からタイミングをずらしながら順次、個別的に独立した状態で行われる。また、その乗移りの際には、図１に示したように、物品４の前方の一部がコンベヤ２ａ上に乗った時点で、同コンベヤ２ａとの接触摩擦を介して搬送力が物品４の前方に部分的に伝達されることから、その部分的に作用する搬送力によって、物品４は回転しながら前記コンベヤ２ａに沿って斜め前方に移動することにより、前記物品群から離脱して第２コンベヤ２側に移載することになる。したがって、それらの移載タイミングに時間差を設けた点と、その乗移りの際の物品４の自転作用が相俟って、前述のように物品群が千鳥状に詰った状態で第１コンベヤ１上を搬送され、最前列の物品４の後部が次列の物品４と横方向に一部重なり合った状態で搬送される場合であっても、なんらの支障なく下流側から一個一個、順次スムーズに物品群から離脱して第２コンベヤ２側へ移載することができる。
【００１０】
また、それぞれ物品４のコンベヤ２ａへの乗移りが、タイミングをずらしながら順次行われる結果、コンベヤ２ａ上へ移載した物品４の相互間には間隔Ｓが形成される。したがって、コンベヤ２ａの下流側に設けた絞り部１０により最終的に物品４の流れをコンベヤ２ｂ側の一列に絞って排出する場合にも、従来のようにジャミングを起すことはない。なお、前記間隔Ｓの大きさは、第１コンベヤ１及び第２コンベヤ２を構成するコンベヤ２ａ，２ｂの搬送スピード、渡りプレート５の出口側端部５ａの傾斜角、物品４の大きさ及び形状、底面の摩擦状態等により決定されるので、それらの要素を調整することにより適当な間隔に設定できる。また、渡りプレート５の出口側端部５ａの傾斜角の設定の仕方により、第１コンベヤ１上の最前列の物品４の移載が完了してから次列の物品４の移載に移行するように設定したり、複数列を並行的に移載するように設定したりすることが可能である。
【００１１】
図４は本発明の他の実施例の要部を示した概略構成図である。図示のように、本実施例は、第２コンベヤ２をその手前側の側端部が前記渡りプレート５の出口側端部５ａに沿うように第１コンベヤ１に対して傾斜させた状態に配設したものである。すなわち、本実施例では、渡りプレート５の出口側端部５ａを前述の実施例のように第２コンベヤ２上までは延伸させないで、同第２コンベヤ２を構成するコンベヤ２ａの手前側の側端部に沿って近接した状態に設定している。そして、以上のように渡りプレート５の出口側端部５ａを第２コンベヤ２の手前側の側端部に沿って近接した状態に設定した本実施例の場合においても、第１コンベヤ１上を搬送される物品４が第２コンベヤ２側へ移載する際には、同第２コンベヤ２を構成するコンベヤ２ａの搬送方向の下流側からタイミングをずらしながら順次、個別的に独立した状態で行われ、移載された物品４相互間には間隔Ｓが形成されることは、前述の実施例の場合と同様である。
【００１２】
【発明の効果】
本発明によれば、渡りプレートの出口側端部を第２コンベヤの搬送方向後方側がより長く延伸されるように斜めに形成するという簡単な構成によって、それぞれの物品が第２コンベヤ側へ乗移るタイミングに時間差を設けることができる。したがって、物品の移載動作を第２コンベヤの下流側から順次、タイミングをずらして、しかも自転を伴なわせながら行わせることができるので、乗移り時の第１コンベヤ上の物品群からの離脱がきわめてスムーズに行われ、移載時における物品の安定性が大幅に改善される。また、第２コンベヤへ移載した物品相互間に間隔を形成することもできるので、移載後に搬送幅を絞る場合に従来支障のあったジャミングの問題も解消することが可能である。
【図面の簡単な説明】
【図１】  本発明の実施例を示した概略平面図である。
【図２】  同実施例の要部を示した概略構成図である。
【図３】  図２中のＢ−Ｂ矢視図である。
【図４】  本発明の他の実施例の要部を示した概略構成図である。
【図５】  従来技術の要部を例示した概略平面図である。
【図６】  図５中のＡ−Ａ矢視図である。
【符号の説明】
１…第１コンベヤ、２…第２コンベヤ、３…従来の渡りプレート、４…物品、５…本発明に係る渡りプレート、６〜９…ガイド部材、１０…絞り部
【図１】
0004283942.tif 000002
【図２】
0004283942.tif 000003
【図３】
0004283942.tif 000004
【図４】
0004283942.tif 000005
【図５】
0004283942.tif 000006
【図６】
0004283942.tif 000007